(57)【要約】      （修正有）【課題】オーディオジャックから抜き出す必要がなく、電子製品の音声をスピーカーから出力することを妨害することがないオーディオプラグを提供する。【解決手段】筒形体３０は、導電性材質から形成されており、一端側の部分が導電機能を有する第一導電部３１であり、他方側の部分が第一導電部３１を遮断する第一絶縁部３２である。ヘッド部４０は、絶縁材料から形成されており、先端部４１、筒状結合部４２、先端部４１の中間部位に形成されている軸方向すき間４３、および、軸方向すき間４３に設けられている導電用板体４４を有する。導電用板体４４の露出している部分が第二導電部となり、先端部４１が第二絶縁部４４ｂとなる。電子部品５０は、第二導電部に接続されている第一電極５１および前記第一導電部３１に接続されている第二電極５２を有する。【選択図】図３
0003182830.tif 000002
【実用新案登録請求の範囲】
【請求項１】
筒形体、ヘッド部、および、電子部品を備え、
前記筒形体は、導電性材質から形成されており、一端に形成されている第一開口部および他端に形成されている第二開口部を有し、前記一端側の部分が導電機能を有する第一導電部であり、前記他方側の部分が前記第一導電部を遮断する第一絶縁部であり、外径がオーディオプラグの通常規格に対応し、
前記ヘッド部は、絶縁材料から形成されており、一端に形成されている先端部、他端に形成されている筒状結合部、前記先端部の中間部位に形成されている軸方向すき間、および、前記軸方向すき間に設けられている導電用板体を有し、前記導電用板体の露出している部分が第二導電部となり、前記先端部が第二絶縁部となり、前記先端部の外形がオーディオプラグの通常規格に対応する錐体形を呈し、前記筒状結合部が前記第一開口部に嵌合することで前記先端部が前記筒形体の一端に設けられ、前記第二導電部と前記筒形体の前記第一導電部とが前記筒状結合部によって遮断され、
前記電子部品は、前記第二導電部に接続されている第一電極および前記第一導電部に接続されている第二電極を有し、
電子製品のオーディオジャックに差し込まれる際、
前記第二導電部および前記第一導電部が前記オーディオジャック内の第一端子および第二端子に接触し、前記第一絶縁部が前記オーディオジャック内の第三端子および第四端子に当接することで、前記電子部品に必要な電力または信号を供給し、
所定角度まで回転すると、前記第二導電部と前記第一端子とが分離し、前記第一導電部と前記第二端子とが分離することで前記オーディオジャックとの電気的接続が遮断されることを特徴とするオーディオプラグ。
【請求項２】
前記筒形体の前記第一導電部は、表面の一部分に絶縁面を有することを特徴とする請求項１に記載のオーディオプラグ。
【請求項３】
前記ヘッド部の絶縁材料は、プラスチックまたはゴムであることを特徴とする請求項１に記載のオーディオプラグ。
【請求項４】
前記電子部品は、発光ユニット、音声ユニット、電磁波発出ユニットまたは光学ユニットを含むことを特徴とする請求項１に記載のオーディオプラグ。
【請求項５】
前記発光ユニットは、前記筒形体の内部に嵌め込まれており、前記第一電極となる接続ピンが前記第二導電部に接続されており、前記第二電極となる基座が前記第一導電部に接続されており、
前記筒形体の後方の前記第二開口部は、キャップを有することを特徴とする請求項４に記載のオーディオプラグ。
【請求項６】
前記筒形体の前記第二開口部には、形の特殊なキャップまたは細長いキャップが設けられており、
前記電子部品は、前記キャップの内部に設けられており、前記第一電極となる導線が前記第二導電部に接続されており、前記第二電極となる導線が前記第一導電部に接続されていることを特徴とする請求項４に記載のオーディオプラグ。
【考案の詳細な説明】
【技術分野】
【０００１】
本考案は、オーディオプラグに関する。
【背景技術】
【０００２】
コンピューターおよび通信情報技術の迅速な発展に伴い、３Ｃ電子製品が普及している。特に携帯電話は現今の人々が必ず持っている装置の一つである。それに対し、業者は使用上の利便性および実用性をユーザーに体感させるため、様々な機能を有する新しい携帯電話を発表している。特にスマートフォンは、市場の主流となり、アプリケーションが豊富であるため、多くのユーザーに好まれている。
【０００３】
図１は、従来のイヤホンおよびその３．５ｍｍオーディオプラグの斜視図である。オーディオプラグ１０は、携帯電話１１のヘッドフォンジャック（オーディオジャック）１２に差し込まれ、オーディオ信号を伝送する。図２は、特許文献１に記載のAudio I/O Headset Plugである。図２に示すように、プラグ４００は、絶縁リング４０５によって数字１から４に示す四つの信号伝導区域（Signal Conducting Regions）に分けられる。プラグ４００は、３．５ｍｍプラグである。信号伝導区域２から信号伝導区域４は外径がψ３．５ｍｍである。それぞれの信号伝導区域は、プラグ４００と接続したイヤホンまたはヘッドフォンのシステムに応じて異なる信号伝導の目的を達成することができる。図２中の表はそれぞれの信号伝導区域の異なるシステムに対応する信号伝導機能を表示する。例えば接続対象がモノラルイヤホンである場合、信号伝導区域１は単一のスピーカーに適用することができ、信号伝導区域２、３は接地（ＧＮＤ）として使用され、信号伝導区域４はマイク（Ｍｉｃ）に適用することができる。一方、異なるイヤホンのシステムに対し、プラグの信号伝導区域は機能が異なる。例えばステレオイヤホンは信号伝導区域１が左チャンネル、信号伝導区域２が右チャンネルである。へッドフォンは信号伝導区域３および信号伝導区域４が接地（ＧＮＤ）である。一方、上述した特許文献１に記載の発明は、プラグおよびプラグ検出回路（Plug Detection Circuitry）を提供することが主な目的である。
【０００４】
上述したプラグ１０またはプラグ４００は、複数の金属シャフトと三つの絶縁リング４０５の組み合わせによって構成され、図１Ｂに示すようにオーディオジャック１２に差し込まれ、信号伝導区域１から４とオーディオジャック１２内の所定位置の第一端子１２１から第四端子１２４とが相互に電気的に接続され、導通することによってヘッドフォンのシステムに対応する信号を受信することが主な機能である。この場合、携帯電話１１の着信音を含む音声は信号伝導区域によって外部のヘッドフォンまたはマイクに伝導されるため、スピーカー１３は音を発することがなく、ミュート状態となる。つまり、ヘッドフォンのオーディオプラグ１０をオーディオジャック１２に差し込んだままにし、電話が掛かってくる場合、着信音は聞こえるが、応答キーを押すと音声信号はヘッドフォンジャック（オーディオジャック）１２に伝送されるため、スピーカー１３は音を発することがない。一方、オーディオプラグ１０は筒状ではないため、利用できる内部空間がない、即ちオーディオジャック１２を介してオーディオ信号を受信する以外の使い道がない。
【先行技術文献】
【特許文献】
【０００５】
【特許文献１】米国特許第７，９１２，５０１ Ｂ２号明細書
【考案の概要】
【考案が解決しようとする課題】
【０００６】
本考案は、上述の問題に鑑みてなされたものであり、その目的は、オーディオジャックから抜き出す必要がなく、電子製品の音声をスピーカーから出力することを妨害することがないオーディオプラグを提供することにある。
【課題を解決するための手段】
【０００７】
本考案によるオーディオプラグは、オーディオジャックに差し込まれる際、一定角度まで回転すると、電子製品の音声をスピーカーから正常に出力することを妨害することなくＯＮ／ＯＦＦの切替効果を果たすことができるだけでなく、電子製品の正常な使用および機能に影響を与えることを避けることができる。従って、本考案はプラグをジャックに差し込んだままにし、ジャックから抜き出す必要がないだけでなく、プラグを防塵キャップとして使用し、電子製品または携帯電話の寿命を延ばすことができる。
【０００８】
本考案は、形および外径の規格がψ２．５ｍｍ、３．５ｍｍまたは６．５ｍｍの国際規格に対応し、かつそれに対応するオーディオジャックに入り込み、ジャック内の所定位置の端子に接触できるだけでなく、内部が中空であるため、所定の電子部品を装着し、オーディオ信号伝送機能以外の多様な機能を生じることができるオーディオプラグを提供することをもう一つの目的とする。
【図面の簡単な説明】
【０００９】
【図１Ａ】従来のオーディオプラグを示す斜視図である。
【図１Ｂ】従来のオーディオプラグとジャックとの結合状態を示す断面図である。
【図２】特許文献１に記載のプラグの信号伝導区域を示す模式図である。
【図３】本考案の一実施形態によるオーディオプラグを示す分解斜視図である。
【図３Ａ】本考案の一実施形態によるオーディオプラグを示す斜視図である。
【図３Ｂ】本考案の他の実施形態によるオーディオプラグを示す斜視図である。
【図３Ｃ】本考案の他の実施形態によるオーディオプラグを示す斜視図である。
【図４】本考案の一実施形態によるオーディオプラグがオーディオジャックに差し込まれた状態を示す正面図である。
【図４Ａ】本考案の一実施形態によるオーディオプラグの外部に電子部品が配置された状態を示す模式図である。
【図４Ｂ】本考案の一実施形態によるオーディオプラグの外部に電子部品が配置された状態を示す模式図である。
【図５Ａ】本考案の一実施形態によるオーディオプラグがオーディオジャックに差し込まれ、通電される前の状態を示す平面図である。
【図５Ｂ】本考案の一実施形態によるオーディオプラグがオーディオジャックに差し込まれ、通電された状態を示す平面図である。
【図６Ａ】図５Ａの６Ａ−６Ａ線断面図である。
【図６Ｂ】図５Ｂの６Ｂ−６Ｂ線断面図である。
【図６Ｃ】本考案の一実施形態によるオーディオプラグの外部に電子部品が配置された状態を示す断面図である。
【図７】本考案の一実施形態によるオーディオプラグの使用状態を示す模式図である。
【考案を実施するための形態】
【００１０】
以下、本考案の実施形態によるオーディオプラグを図面に基づいて説明する。
（一実施形態）
図３から図７に示すように、本考案の一実施形態によるオーディオプラグ２０は、筒形体３０、ヘッド部４０および電子部品５０を備える。
【００１１】
筒形体３０は、導電性材質から形成されており、一端側の部分が導電機能を有する第一導電部３１であり、他方側の部分が第一導電部３１を遮断する第一絶縁部３２であり、外径がオーディオプラグの通常規格に対応している。また筒形体３０は一端に形成された第一開口部３３と、他端に形成された第二開口部３４とを有する。
【００１２】
ヘッド部４０は、プラスチック、ゴムなどの絶縁材料から形成され、一端に形成されている先端部４１と、他端に形成された筒状結合部４２と、先端部４１の中間部位に形成されている軸方向すき間４３とを有する。先端部４１は外形がオーディオプラグの通常規格に対応する錐体形を呈する。筒状結合部４２が第一開口部３３に嵌合することで、先端部４１が筒形体３０の一端に設けられる。軸方向すき間４３には導電用板体４４が装着され、導電用板体４４の露出している部分が第二導電部４４ａとなり、先端部４１が第二絶縁部４４ｂとなる。第二導電部４４ａと筒形体３０の第一導電部３１とは筒状結合部４２によって遮断される。
【００１３】
電子部品５０は、第一電極５１および第二電極５２を有する。第一電極５１は第二導電部４４ａに接続され、第二電極５２は第一導電部３１に接続される。
【００１４】
本実施形態において、電子部品５０は、発光ユニット、音声ユニット、電磁波発生ユニット、および光学ユニットのうち少なくでも一つを含む。図３、図６Ａおよび図６Ｂに示すように、電子部品５０はレーザー発光ダイオード（ＬＤ）または発光ダイオード（ＬＥＤ）などの発光ユニット５０ａである。本実施形態において、発光ユニット５０（５０ａ）は筒形体３０内に嵌め込まれ、第一電極５１となる接続ピン５１ａが第二導電部４４ａに接続され、第二電極５２となる基座５２ａが第一導電部３１に接続される。一方、本考案は、求められた機能に応じて筒形体３０の内部空間に別の電子部品を配置することができる。詳細な説明は省略する。
【００１５】
本考案によるオーディオプラグ２０がオーディオジャック６０に差し込まれ、図５Ａおよび図６Ａに示した位置に据えられる際、オーディオプラグ２０は通電されず、ＯＦＦとなる。即ちオーディオジャック６０内の第一端子６１はオーディオプラグ２０の第二絶縁部４４ｂに接触するため、第二端子６２とともに導電回路を構成することができない。このとき第三端子６３および第四端子６４は第一絶縁部３２に接触するため、オーディオプラグ２０がオーディオジャック６０に差し込まれても、携帯電話などの電子製品７０の音声はオーディオジャック６０から出力されることなく、依然としてスピーカー７１から正常に出力される。従って、本考案は携帯電話などの電子製品７０の正常な応答および使用に影響を与えることが全然ない。
【００１６】
図５Ｂおよび図６Ｂに示すように、オーディオプラグ２０を９０度回転させると、第二導電部４４ａは第一端子６１に電気的に接触し、第二導電部３１は第二端子６２に電気的に接触するため、通電状態、即ちＯＮとなる。このとき発光ユニット５０ａは第一電極５１となる接続ピン５１ａおよび第二電極５２となる基座５２ａを介して受電することによって光線を発生し、キャップ３５の発光孔３５１から光線を放出することによってペンライトまたはレーザーポインタの機能を果たすことができるため、図７に示すようにブリーフィングまたは授業に非常に便利である。
【００１７】
オーディオプラグ２０が電子製品７０のオーディオジャック６０内に差し込まれる際、第二導電部４４ａおよび第一導電部３１はそれぞれオーディオジャック６０内の所定位置の第一端子６１および第二端子６２に接触し、導通することによって電子部品５０に必要な電力または信号を供給する。第一絶縁部３２はオーディオジャック６０内の第一端子６１、第二端子６２以外の第三端子６３および第四端子６４に当接する。オーディオプラグ２０が一定角度まで回転し、第二導電部４４ａと第一端子６１とを分離させ、第一導電部３１と第二端子６２とを分離させると、オーディオプラグ２０とオーディオジャック６０との電気的接続は遮断される。
【００１８】
図３Ｂに示すように、筒形体３０の第一導電部３１は表面の一部分の部位に導電しない絶縁面３１１を有する。絶縁面３１１は市販の一部分の携帯電話のオーディオジャック内の第二端子の構造および回路に対応する。オーディオプラグ２０が一定角度まで回転し、遮断される（ＯＦＦとなる）際、第一端子と第二端子を同時に遮断し、絶縁回路を構成するため、オーディオジャック内６０の第一端子６１をオーディオプラグ２０の第二導電部４４ｂに接触させるだけでなく、第二端子を導電しない絶縁面３１１に接触させることが必要である。電話が掛かってくる際に応答キーを押すと、音声信号をヘッドフォンジャック（オーディオジャック）６０に伝送することがなければ、スピーカー７１は音を発することができる。一方、絶縁面３１１は選択肢の一つであり、これに限らないため、本考案は必要に応じて絶縁面３１１を配置することができる。
【００１９】
本実施形態によるオーディオプラグ２０は、携帯電話などの電子製品の３．５ｍｍオーディオジャック６０に円滑に収容され、ＬＤまたはＬＥＤをヘッドフォンジャックに隠すことができる。
【００２０】
図３ｃおよび図６Ｃに示すように、本考案の別の一実施形態は筒形体３０の外部に電子部品５０を配置し、第一電極５１となる導線５１ｂと第二導電部４４ａとを接続し、第二電極５２となる導電５２ｂと第一導電部３１とを接続する。上述した実施形態と同じ手段によってオーディオプラグ２０を回転させれば、オーディオジャック６０を介して筒形体３０外部の電子部品５０に電流を通すか、電流を遮断することができる。一方、本考案は筒形体３０の第二開口部３４に図４Ａと図６ｃに示した形の特殊なキャップ３６、図４Ｂに示した細長いキャップ３７、または幾何学模様のキャップを増設し、その内部に電子部品５０を配置することによって使い道を増進することができる。
【００２１】
上述した技術により構成されたオーディオプラグ２０は、導電部と絶縁部との複合構造および回転角度の設定によってオーディオジャックを介して電力または信号を受けることができるだけでなく、電子製品の音声をスピーカーから正常に出力することを妨害することがない。かつオーディオプラグを一定角度まで回転させればＯＮ／ＯＦＦの切替効果を生じることはまるで切替スイッチのようである。一方、本考案はオーディオプラグの内部または外部に所定の電子部品を配置し、オーディオジャックを介して電力または信号を受けることによってオーディオ信号伝送機能以外の多様な機能を増やすことができる。
【符号の説明】
【００２２】
２０：オーディオプラグ、  
３０：筒形体、  
３１：第一導電部、  
３１１：絶縁面、      
３２：第一絶縁部、  
３３：第一開口部、  
３４：第二開口部、  
３５：キャップ、  
３５１：発光孔、    
３６：形の特殊なキャップ、  
３７：細長いキャップ、  
４０：ヘッド部、  
４１：先端部、  
４２：筒状結合部、  
４３：軸方向すき間、  
４４：導電用板体、  
４４ａ：第二導電部、  
４４ｂ：第二絶縁部、  
５０：電子部品、  
５０ａ：発光ユニット、  
５１：第一電極、  
５２：第二電極、  
６０：オーディオジャック、  
６１：第一端子、  
６２：第二端子、  
６３：第三端子、  
６４：第四端子、  
７０：電子製品、  
７１：スピーカー。
【図１Ａ】
0003182830.tif 000003
【図１Ｂ】
0003182830.tif 000004
【図２】
0003182830.tif 000005
【図３】
0003182830.tif 000006
【図３Ａ】
0003182830.tif 000007
【図３Ｂ】
0003182830.tif 000008
【図３Ｃ】
0003182830.tif 000009
【図４】
0003182830.tif 000010
【図４Ａ】
0003182830.tif 000011
【図４Ｂ】
0003182830.tif 000012
【図５Ａ】
0003182830.tif 000013
【図５Ｂ】
0003182830.tif 000014
【図６Ａ】
0003182830.tif 000015
【図６Ｂ】
0003182830.tif 000016
【図６Ｃ】
0003182830.tif 000017
【図７】
0003182830.tif 000018